(57)【要約】【課題】  応答速度の改善を図り得る液晶表示装置及びその駆動方法を提供する。【解決手段】  １分割表示領域に設けられて、該分割表示領域を表示する液晶素子と、各液晶素子の輝度比の重み付き平均による１表示領域の表示応答時間が、１表示領域を単独の液晶素子にて表示したと仮定した場合の表示応答時間よりも短くなるように、各液晶素子を表示させる表示駆動部１０とが設けられている。【選択図】  図１
2005107491.tif 000002
【特許請求の範囲】
【請求項１】
１表示領域を複数に分割した各分割表示領域に設けられて、該分割表示領域を表示する液晶素子と、
上記各液晶素子の輝度比の重み付き平均による上記１表示領域の表示応答時間が、上記１表示領域を単独の液晶素子にて表示したと仮定した場合の表示応答時間よりも短くなるように、各液晶素子を表示させる表示駆動手段とが設けられていることを特徴とする液晶表示装置。
【請求項２】
前記表示駆動手段は、
各液晶素子の輝度比の重み付き平均による前記１表示領域の表示応答時間が、該１表示領域を単独の液晶素子にて表示したと仮定した場合の表示応答時間よりも短くなるように表示し得る各液晶素子の輝度比の組み合わせから、最短の表示応答時間を表示するものを選択する選択手段を備えていることを特徴とする請求項１記載の液晶表示装置。
【請求項３】
前記表示駆動手段は、
各液晶素子の輝度比の重み付き平均による前記１表示領域の表示応答時間が、該１表示領域を単独の液晶素子にて表示したと仮定した場合の表示応答時間よりも短くなるように表示し得る各種の組み合わせをテーブルにして記憶する組み合わせ記憶手段を備えていることを特徴とする請求項１記載の液晶表示装置。
【請求項４】
前記表示駆動手段は、
階調を輝度比に変換する階調輝度比変換手段を備えていることを特徴とする請求項１記載の液晶表示装置。
【請求項５】
前記表示駆動手段は、
階調を輝度比に変換する階調輝度比変換手段と、
前記選択手段にて選択された最短の表示応答時間を表示する各液晶素子の輝度比を階調に変換する輝度比階調変換手段とを備えていることを特徴とする請求項２記載の液晶表示装置。
【請求項６】
前記表示駆動手段は、
各液晶素子における入力データである現フレームの階調に対して、前記選択手段により予め最短の表示応答時間にて表示するものとして輝度比に基き選択されかつ階調に変換された各表示用階調データをテーブルにして格納した階調データ記憶手段を備えていることを特徴とする請求項２記載の液晶表示装置。
【請求項７】
前記選択手段は、
最短の表示応答時間を表示する各液晶素子の輝度比の組み合わせを選択するときに、該組み合わせの表示応答時間が、１フレームの表示時間よりも短いか否かを判断する判断手段を備えていることを特徴とする請求項２記載の液晶表示装置。
【請求項８】
前記選択手段は、
前記判断手段による、１フレームの時間よりも短い表示応答時間となる各液晶素子の輝度比の組み合わせが複数存在する場合には、各液晶素子の表示応答時間の差が最も小さいものを選択することを特徴とする請求項７記載の液晶表示装置。
【請求項９】
１表示領域を複数に分割し、該各分割表示領域における液晶素子の輝度比の重み付き平均を上記１表示領域の輝度比として表示する一方、
上記各液晶素子の輝度比の重み付き平均による１表示領域の表示応答時間が、上記１表示領域を単独の液晶素子にて表示したと仮定した場合の表示応答時間よりも短くなるように、各液晶素子を表示させることを特徴とする液晶表示装置の駆動方法。
【請求項１０】
前記１表示領域を複数に分割する場合に、該１表示領域の面積を２等分割することを特徴とする請求項９記載の液晶表示装置の駆動方法。
【請求項１１】
前記１表示領域を複数に分割する場合に、赤（Ｒ）・緑（Ｇ）・青（Ｂ）の３種類の各絵素に分割すると共に、各絵素についてはさらに２分割することを特徴とする請求項９記載の液晶表示装置の駆動方法。
【請求項１２】
前記各絵素についてさらに２分割する場合には、青（Ｂ）同士が隣接しないように配置することを特徴とする請求項１１記載の液晶表示装置の駆動方法。
【請求項１３】
前記１表示領域を複数に分割する場合に、赤（Ｒ）・緑（Ｇ）・青（Ｂ）の３種類の各絵素の外に他の種類の絵素を含めて分割することを特徴とする請求項９記載の液晶表示装置の駆動方法。
【請求項１４】
前記１表示領域を複数に分割する場合に、
赤（Ｒ）・緑（Ｇ）・青（Ｂ）・黄色（Ｙ）・マゼンタ（Ｍ）・シアン（ＣＮ）の各絵素に分割することを特徴とする請求項１３記載の液晶表示装置の駆動方法。
【請求項１５】
前記１表示領域を複数に分割する場合に、
赤（Ｒ）・緑（Ｇ）・青（Ｂ）・黄色（Ｙ）・シアン（ＣＮ）の各絵素に分割することを特徴とする請求項１３記載の液晶表示装置の駆動方法。
【請求項１６】
前記１表示領域を複数に分割する場合に、
赤（Ｒ）・緑（Ｇ）・青（Ｂ）・黄色（Ｙ）・白（Ｗ）・シアン（ＣＮ）の各絵素に分割することを特徴とする請求項１３記載の液晶表示装置の駆動方法。
【請求項１７】
前記１表示領域を複数に分割する場合に、
ＳＶＧＡモジュールの１ピクセルのデータをＵＸＧＡモジュールの４ピクセルに投影する等の定数倍に分割することを特徴とする請求項９記載の液晶表示装置の駆動方法。
【請求項１８】
前記１表示領域を複数に分割する場合に、人間の目には認識できない範囲内で階調を変化させ、その変化させた階調を輝度比に変換し、その後、表示応答時間が短くなるようにすることを特徴とする請求項９記載の液晶表示装置の駆動方法。
【請求項１９】
前記人間の目には認識できない範囲内で階調を変化させる場合に、複数種類の階調変化テーブルと、１種類の階調変化０の階調変化テーブルとを使用することを特徴とする請求項１８記載の液晶表示装置の駆動方法。
【請求項２０】
前記１表示領域における現在のフレームの階調と１フレーム前の階調とを比較し、全液晶素子における階調差の最大値が一定階調以下の場合は、現在のフレームの階調をそのまま出力することを特徴とする請求項１８記載の液晶表示装置の駆動方法。
【請求項２１】
前記１表示領域における現在のフレームの階調と前記各階調変化テーブルの階調とを加えた値を輝度比に変換し、さらにその輝度比に対応する表示応答時間を求めた各表示応答時間テーブルを作成した後、
解像度が粗い場合には、上記各表示応答時間テーブルのうち最も表示応答時間の長いデータ同士を互いに比較することにより、最も表示応答時間の短い表示応答時間テーブルを選択して表示させる一方、
解像度が細かい場合には、上記各表示応答時間テーブルの各表示応答時間のデータの平均を求めて互いに比較することにより、最も表示応答時間の短い表示応答時間テーブルを選択して表示させることを特徴とする請求項１９記載の液晶表示装置の駆動方法。
【請求項２２】
白色度の設定によって、緑（Ｇ）の輝度成分が１つのピクセルの中に５割以上含まれている場合には、緑（Ｇ）のデータのみを比較して、最も表示応答時間の短い表示応答時間テーブルを選択することを特徴とする請求項２１記載の液晶表示装置の駆動方法。
【発明の詳細な説明】
【技術分野】
【０００１】
本発明は、コンピュータのモニタやＴＶ等に使用される液晶表示装置及びその駆動方法に関するものであり、詳細には、動画を映すときの表示応答速度の改善に関するものである。
【背景技術】
【０００２】
液晶の応答速度を改善する方法には、例えば、特許文献１に開示されているように、オーバーシュート駆動、オーバードライブ駆動と呼ばれる方法がある。
【０００３】
これらの駆動方法は、液晶モジュールに入力データの変化分以上の変化を加えることによって、応答速度を改善させるものである。以下、具体的に説明する。
【０００４】
今、２５６階調表示可能な液晶モジュールを考える。
【０００５】
１つの液晶の絵素に階調０の表示が行われていたとき、次の信号の変化で階調６４に変わるとする。この場合、階調６４になるように液晶の絵素に電圧を印加したときに、応答速度が遅く、階調６４に到達しなかったものとする。一方、階調８４になるように液晶の絵素に電圧を印加したときに、同様に、応答速度が遅く、階調８０に到達せず、階調６４までしか行かないものとする。
【０００６】
以上の条件において、階調０から階調６４に変化させるときに、階調６４になるように液晶を制御するのではなく、階調８０になるように制御した結果として、階調６４に早く到達させることができる。この駆動方法を、上述したオーバーシュート駆動又はオーバードライブ駆動と呼ぶ。この駆動方法は、上記の引用文献１に基く特許の存続期間満了と同時に、各社の液晶テレビに使用されている。
【特許文献１】特公昭６３-２５５５６号公報（１９８８年５月２５日公告）
【発明の開示】
【発明が解決しようとする課題】
【０００７】
しかしながら、上記従来の液晶表示装置では、以下の問題点を有している。
【０００８】
すなわち、近年、コンピュータ用の表示装置として使用されていた液晶表示装置に動画映像を映すことが行われるようになってきている。この現象は、液晶表示装置の大型化に伴い、液晶表示装置においてＴＶ用途向けのモデルが開発されてきたこと、及びコンピュータの性能の向上に伴いコンピュータ上で動画を扱うという用途が発生してきたためである。
【０００９】
ところで、動画を液晶モジュールに映すことについて大きな問題となるのは、液晶表示装置の応答速度の遅さである。すなわち、応答速度の遅い表示装置に動画を映すと残像が残って見え、表示品位を損なうことになる。特に、液晶表示装置では、白黒の応答速度に比べて中間調と中間調と間の応答速度がさらに遅く、自然画を扱うと特定の動画においては、顕著に、その表示品位の劣化が見られる。
【００１０】
本発明は、上記従来の問題点に鑑みなされたものであって、その目的は、応答速度の改善を図り得る液晶表示装置及びその駆動方法を提供することにある。
【課題を解決するための手段】
【００１１】
本発明の液晶表示装置は、上記課題を解決するために、１表示領域を複数に分割した各分割表示領域に設けられて、該分割表示領域を表示する液晶素子と、上記各液晶素子の輝度比の重み付き平均による上記１表示領域の表示応答時間が、上記１表示領域を単独の液晶素子にて表示したと仮定した場合の表示応答時間よりも短くなるように、各液晶素子を表示させる表示駆動手段とが設けられていることを特徴としている。
【００１２】
また、本発明の液晶表示装置の駆動方法は、上記課題を解決するために、１表示領域を複数に分割し、該各分割表示領域における液晶素子の輝度比の重み付き平均を上記１表示領域の輝度比として表示する一方、上記各液晶素子の輝度比の重み付き平均による１表示領域の表示応答時間が、上記１表示領域を単独の液晶素子にて表示したと仮定した場合の表示応答時間よりも短くなるように、各液晶素子を表示させることを特徴としている。
【００１３】
すなわち、液晶表示装置の表示応答時間は、開始輝度比と終了輝度比との組み合わせによって大きな差が生じる。
【００１４】
そこで、本発明の液晶表示装置では、１表示領域を複数に分割して、各分割表示領域の液晶素子にてそれぞれの輝度比に基づいて表示させる。例えば、１つの絵素を複数の絵素に分割する。この場合、１つの絵素の輝度は、各分割絵素の液晶素子の輝度の重み付き平均となる。したがって、各液晶素子の輝度の表示に対して、開始輝度比と終了輝度比との長い応答時間となる組み合わせを避けることによって、特定の中間調における応答が遅いという現象を低減することができる。
【００１５】
本発明では、表示駆動手段が、各液晶素子の輝度比の重み付き平均による上記１表示領域の表示応答時間が、上記１表示領域を単独の液晶素子にて表示したと仮定した場合の表示応答時間よりも短くなるように、各液晶素子を表示させる。
【００１６】
したがって、応答速度の改善を図り得る液晶表示装置及びその駆動方法を提供することができる。
【００１７】
また、本発明の液晶表示装置は、上記記載の液晶表示装置において、前記表示駆動手段は、各液晶素子の輝度比の重み付き平均による前記１表示領域の表示応答時間が、該１表示領域を単独の液晶素子にて表示したと仮定した場合の表示応答時間よりも短くなるように表示し得る各液晶素子の輝度比の組み合わせから、最短の表示応答時間を表示するものを選択する選択手段を備えていることを特徴としている。
【００１８】
上記の発明によれば、表示駆動手段の選択手段は、各液晶素子の輝度比の重み付き平均による前記１表示領域の表示応答時間が、該１表示領域を単独の液晶素子にて表示したと仮定した場合の表示応答時間よりも短くなるように表示し得る各液晶素子の輝度比の組み合わせから、最短の表示応答時間を表示するものを選択する。
【００１９】
したがって、最短の表示応答時間にて表示することができる。
【００２０】
また、本発明の液晶表示装置は、上記記載の液晶表示装置において、前記表示駆動手段は、各液晶素子の輝度比の重み付き平均による前記１表示領域の表示応答時間が、該１表示領域を単独の液晶素子にて表示したと仮定した場合の表示応答時間よりも短くなるように表示し得る各種の組み合わせをテーブルにして記憶する組み合わせ記憶手段を備えていることを特徴としている。
【００２１】
上記の発明によれば、表示駆動手段の組み合わせ記憶手段は、各液晶素子の輝度比の重み付き平均による前記１表示領域の表示応答時間が、該１表示領域を単独の液晶素子にて表示したと仮定した場合の表示応答時間よりも短くなるように表示し得る各種の組み合わせをテーブルにして記憶する。
【００２２】
したがって、テーブルから容易に短くなるように表示し得る各種の組み合わせを選択することができる。
【００２３】
また、本発明の液晶表示装置は、上記記載の液晶表示装置において、前記表示駆動手段は、階調を輝度比に変換する階調輝度比変換手段を備えていることを特徴としている。
【００２４】
上記の発明によれば、表示駆動手段は、階調を輝度比に変換する階調輝度比変換手段を備えているので、階調データを高速に表示することができる。
【００２５】
また、本発明の液晶表示装置は、上記記載の液晶表示装置において、前記表示駆動手段は、階調を輝度比に変換する階調輝度比変換手段と、前記選択手段にて選択された最短の表示応答時間を表示する各液晶素子の輝度比を階調に変換する輝度比階調変換手段とを備えていることを特徴としている。
【００２６】
したがって、階調データを最短で表示することができる。
【００２７】
また、本発明の液晶表示装置は、上記記載の液晶表示装置において、各液晶素子における入力データである現フレームの階調に対して、前記選択手段により予め最短の表示応答時間にて表示するものとして輝度比に基き選択されかつ階調に変換された各表示用階調データをテーブルにして格納した階調データ記憶手段を備えていることを特徴としている。
【００２８】
上記の発明によれば、入力データである現フレームの階調が与えられたときに、予め、輝度比に基いて選択されかつ階調に変換された表示用階調データがテーブルにして格納されているので、見た目の処理は、階調から輝度比への変換処理、及び最短の表示応答時間となる輝度比から階調への変換処理がなくなり、処理速度を速めることができる。
【００２９】
また、本発明の液晶表示装置は、上記記載の液晶表示装置において、前記選択手段は、最短の表示応答時間を表示する各液晶素子の輝度比の組み合わせを選択するときに、該組み合わせの表示応答時間が、１フレームの表示時間よりも短いか否かを判断する判断手段を備えていることを特徴としている。
【００３０】
上記の発明によれば、選択手段の判断手段は、最短の表示応答時間を表示する各液晶素子の輝度比の組み合わせを選択するときに、該組み合わせの表示応答時間が、１フレームの表示時間よりも短いか否かを判断する。
【００３１】
したがって、１フレームの表示時間よりも長い場合は、表示応答時間ができるだけ短くなるように選択を行う必要があり、これにより応答速度が改善できたという結果を得ることができる。
【００３２】
一方、１フレームの表示時間よりも短い場合については、それ以上短くする意味がないので、応答時間が１フレームの表示時間以下を守れる組み合わせのうちで、表示品位のよい組み合わせを選択することができる。
【００３３】
また、本発明の液晶表示装置は、上記記載の液晶表示装置において、前記選択手段は、前記判断手段による、１フレームの時間よりも短い表示応答時間となる各液晶素子の輝度比の組み合わせが複数存在する場合には、各液晶素子の表示応答時間の差が最も小さいものを選択することを特徴としている。
【００３４】
上記の発明によれば、静止画の場合に、各液晶素子の輝度比の差を小さくなるようにすることによって、人間の視覚特性による認識を困難にし、表示品質の劣化を防止することができる。
【００３５】
また、本発明の液晶表示装置の駆動方法は、上記記載の液晶表示装置の駆動方法において、前記１表示領域を複数に分割する場合に、該１表示領域の面積を２等分割することを特徴としている。
【００３６】
したがって、最も簡単な分割方法であるので、処理が簡単で比較的顕著な効果を得ることができ、いわゆる費用対効果が大きい。
【００３７】
また、本発明の液晶表示装置の駆動方法は、上記記載の液晶表示装置の駆動方法において、前記１表示領域を複数に分割する場合に、赤（Ｒ）・緑（Ｇ）・青（Ｂ）の３種類の各絵素に分割すると共に、各絵素についてはさらに２分割することを特徴としている。
【００３８】
上記の発明によれば、また、本発明の液晶表示装置の駆動方法では、赤（Ｒ）・緑（Ｇ）・青（Ｂ）の３種類の各絵素に分割すると共に、各絵素についてはさらに２分割する。したがって、１表示領域に６個の分割表示領域ができることになる。
【００３９】
それゆえ、一般的に、１ピクセルには赤（Ｒ）・緑（Ｇ）・青（Ｂ）が存在するが、その１ピクセルの赤（Ｒ）・緑（Ｇ）・青（Ｂ）をさらに分割することによって、１表示領域である１ピクセルの赤（Ｒ）・緑（Ｇ）・青（Ｂ）のそれぞれについて、応答速度の改善を図ることができる。
【００４０】
また、本発明の液晶表示装置の駆動方法は、上記記載の液晶表示装置の駆動方法において、前記各絵素についてさらに２分割する場合には、青（Ｂ）同士が隣接しないように配置することを特徴としている。
【００４１】
したがって、輝度の低い青（Ｂ）とサブピクセル間に存在するＢＭ（ブラックマトリクス）と呼ばれる配線の遮光部分とがつながって見え、太い暗線として見えてしまうという表示品位の劣化を防止することができる。
【００４２】
また、本発明の液晶表示装置の駆動方法は、上記記載の液晶表示装置の駆動方法において、前記１表示領域を複数に分割する場合に、赤（Ｒ）・緑（Ｇ）・青（Ｂ）の３種類の各絵素の外に他の種類の絵素を含めて分割することを特徴としている。
【００４３】
また、本発明の液晶表示装置の駆動方法は、上記記載の液晶表示装置の駆動方法において、前記１表示領域を複数に分割する場合に、赤（Ｒ）・緑（Ｇ）・青（Ｂ）・黄色（Ｙ）・マゼンタ（Ｍ）・シアン（ＣＮ）の各絵素に分割することを特徴としている。
【００４４】
したがって、１ピクセルの中に赤（Ｒ）・緑（Ｇ）・青（Ｂ）以外の絵素を加えることにより、各赤（Ｒ）・緑（Ｇ）・青（Ｂ）の絵素の輝度を大きくすることができ、その分、応答速度の改善を大きくすることができる。
【００４５】
また、本発明の液晶表示装置の駆動方法は、上記記載の液晶表示装置の駆動方法において、前記１表示領域を複数に分割する場合に、赤（Ｒ）・緑（Ｇ）・青（Ｂ）・黄色（Ｙ）・シアン（ＣＮ）の各絵素に分割することを特徴としている。
【００４６】
したがって、マゼンタ（Ｍ）のカラーフィルタは作成が難しいので、マゼンタ（Ｍ）を抜いた構成であれば、容易に形成することができる。
【００４７】
また、本発明の液晶表示装置の駆動方法は、上記記載の液晶表示装置の駆動方法において、前記１表示領域を複数に分割する場合に、赤（Ｒ）・緑（Ｇ）・青（Ｂ）・黄色（Ｙ）・白（Ｗ）・シアン（ＣＮ）の各絵素に分割することを特徴としている。
【００４８】
したがって、白（Ｗ）の絵素を付加することによって、１ピクセル内の輝度比を十分に高めることができる。
【００４９】
また、本発明の液晶表示装置の駆動方法は、上記記載の液晶表示装置の駆動方法において、前記１表示領域を複数に分割する場合に、ＳＶＧＡモジュールの１ピクセルのデータをＵＸＧＡモジュールの４ピクセルに投影する等の定数倍に分割することを特徴としている。なお、ＶＧＡ（６４０×４８０ピクセル）とＱＶＧＡ（１２８０×９６０ピクセル）、ＸＧＡ（１０２４×７６８ピクセル）とＱＸＧＡ（２０４８×１５３６ピクセル）等も同様の関係になる。
【００５０】
上記の発明によれば、例えばＳＶＧＡ（解像度８００×６００ピクセル）の１ピクセル内にはＵＸＧＡ（解像度１６００×１２００ピクセル）の４ピクセルを含むような定数倍関係にある場合は、含まれるピクセルに対して、輝度差を持たせることによって、低解像度のときに応答速度を改善させることができる。
【００５１】
それゆえ、例えば、ＴＶ用ディスプレイの場合は解像度が低くても動画を表示する必要が高いので応答速度が高い必要があり、コンピュータモニタとして使用する場合は、解像度が優先する。本発明は、両方の用途に切り替えて使用できるものであるが、このように分割しておくことによって、コンピュータモニタにＴＶ用の映像信号が入力された場合に、容易に切り替えて、応答速度を短くすることができる。
【００５２】
また、本発明の液晶表示装置の駆動方法は、上記記載の液晶表示装置の駆動方法において、前記１表示領域を複数に分割する場合に、人間の目には認識できない範囲内で階調を変化させ、その変化させた階調を輝度比に変換し、その後、表示応答時間が短くなるようにすることを特徴としている。
【００５３】
上記の発明によれば、１表示領域を複数に分割する場合に、人間の目には認識できない範囲内で階調を変化させ（このことを「空間拡散」という）、その変化させた階調を輝度比に変換し、その後、表示応答時間が短くなるようにする。
【００５４】
それゆえ、人間の視角特性を利用して、応答速度の改善を図ることができる。
【００５５】
また、本発明の液晶表示装置の駆動方法は、上記記載の液晶表示装置の駆動方法において、前記人間の目には認識できない範囲内で階調を変化させる場合に、複数種類の階調変化テーブルと、１種類の階調変化０の階調変化テーブルとを使用することを特徴としている。
【００５６】
上記の発明によれば、人間の目には認識できない範囲内で階調を変化させる場合に、複数種類の階調変化テーブルと、１種類の階調変化０の階調変化テーブルとを使用する。
【００５７】
それゆえ、＋１種類の階調変化０の階調変化テーブルは階調の増減変化をかけないというものであり、このテーブルは入力データそのものを出力するテーブルであり、空間拡散が必要なければ、空間拡散しない方が入力信号を忠実に出力することができるという点で重要である。
【００５８】
また、本発明の液晶表示装置の駆動方法は、上記記載の液晶表示装置の駆動方法において、前記１表示領域における現在のフレームの階調と１フレーム前の階調とを比較し、全液晶素子における階調差の最大値が一定階調以下の場合は、現在のフレームの階調をそのまま出力することを特徴としている。
【００５９】
上記の発明によれば、全液晶素子における階調差の最大値が一定階調以下の場合は、アナログ信号固有のノイズやＩ／Ｐ変換によるノイズの影響で発生した階調差であり、動画ではないと判断して、本発明の処理を回避することができる。
【００６０】
また、本発明の液晶表示装置の駆動方法は、上記記載の液晶表示装置の駆動方法において、前記１表示領域における現在のフレームの階調と前記各階調変化テーブルの階調とを加えた値を輝度比に変換し、さらにその輝度比に対応する表示応答時間を求めた各表示応答時間テーブルを作成した後、解像度が粗い場合には、上記各表示応答時間テーブルのうち最も表示応答時間の長いデータ同士を互いに比較することにより、最も表示応答時間の短い表示応答時間テーブルを選択して表示させる一方、解像度が細かい場合には、上記各表示応答時間テーブルの各表示応答時間のデータの平均を求めて互いに比較することにより、最も表示応答時間の短い表示応答時間テーブルを選択して表示させることを特徴としている。
【００６１】
上記の発明によれば、１表示領域における現在のフレームの階調と前記各階調変化テーブルの階調とを加えた値を輝度比に変換し、さらにその輝度比に対応する表示応答時間を求めた各表示応答時間テーブルを作成する。
【００６２】
したがって、このとき、複数種類の各表示応答時間テーブルができることになり、どのパターンを選択するかの問題となる。
【００６３】
そこで、本発明では、解像度が粗い場合には、上記各表示応答時間テーブルのうち最も表示応答時間の長いデータ同士を互いに比較することにより、最も表示応答時間の短い表示応答時間テーブルを選択して表示させる。
【００６４】
すなわち、各表示応答時間テーブルにおいて、それぞれ最も表示応答時間の長いデータがそのパターンにおける表示必要時間である。したがって、解像度が粗い場合には、最も表示応答時間の長いデータ同士を互いに比較し、その表示応答時間の最も短いパターンを選択することにより、最も表示応答時間の短い表示応答時間テーブルを選択することができる。
【００６５】
一方、解像度が細かい場合には、上記各表示応答時間テーブルの各表示応答時間のデータの平均を求めて互いに比較することにより、最も表示応答時間の短い表示応答時間テーブルを選択して表示させる。
【００６６】
すなわち、解像度が細かい場合には、１表示領域自体の面積が小さいので、各そのパターンの表示応答時間のデータの平均にて相互にいずれが短くなるように表示できるかの選択を行う方が、その１表示領域全体が短くなるように表示できることになる。
【００６７】
それゆえ、解像度が細かいか粗いかによって、選択方法を変えることによって、実質的に応答速度を短くすることができる。
【００６８】
また、本発明の液晶表示装置の駆動方法は、上記記載の液晶表示装置の駆動方法において、白色度の設定によって、緑（Ｇ）の輝度成分が１つのピクセルの中に５割以上含まれている場合には、緑（Ｇ）のデータのみを比較して、最も表示応答時間の短い表示応答時間テーブルを選択することを特徴としている。
【００６９】
すなわち、白色度（全サブピクセルが最大輝度で点灯している状態の色度）の設定によって、緑（Ｇ）の輝度成分が１つのピクセルの中に５割以上含まれている場合には、緑（Ｇ）のデータのみを比較して、最も表示応答時間の短い表示応答時間テーブルを選択しても良い。
【００７０】
それゆえ、緑（Ｇ）は輝度成分が大きく目立ち易いので、緑（Ｇ）のデータを基準にして応答速度を決定することによって、より簡易的に実現可能である。
【００７１】
例えば、一般的なＩＴＵの規格に基づく場合、緑（Ｇ）の輝度成分は約６割を占めるので、この方法を用いることにより、標準的なモジュールについて、簡易に応答速度の改善を図ることができる。
【発明の効果】
【００７２】
液晶表示装置の表示応答時間は、開始輝度比と終了輝度比との組み合わせによって大きな差が生じる。
【００７３】
そこで、本発明の液晶表示装置及びその駆動方法では、１表示領域を複数に分割して、各分割表示領域の液晶素子にて輝度比を表示させる。例えば、１つの絵素を複数の絵素に分割する。この場合、１つの絵素の輝度は、各分割絵素の液晶素子の輝度の重み付き平均となる。したがって、各液晶素子の輝度の表示に対して、開始輝度比と終了輝度比との長い応答時間となる組み合わせを避けることによって、特定の中間調における応答が遅いという現象を低減することができる。
【００７４】
また、本発明では、表示駆動手段が、各液晶素子の輝度比の重み付き平均による上記１表示領域の表示応答時間が、上記１表示領域を単独の液晶素子にて表示したと仮定した場合の表示応答時間よりも短くなるように、各液晶素子を表示させる。
【００７５】
それゆえ、応答速度の改善を図り得る液晶表示装置及びその駆動方法を提供することができるという効果を奏する。
【発明を実施するための最良の形態】
【００７６】
〔実施の形態１〕
本発明の実施の一形態について図１ないし図６に基づいて説明すれば、以下の通りである。
【００７７】
本実施の形態の液晶表示装置は、従来であれば、１つの絵素であったものを、複数の絵素に分割し、各分割絵素について応答速度が分割前よりも高速になるように各分割絵素の輝度を表示させることにより、分割前の絵素の領域について結果的に輝度の表示が短くなるように駆動するようになっている。以下、その駆動方法及び駆動装置について、説明する。
【００７８】
本実施の形態では、図２に示すように、赤（Ｒ）・緑（Ｇ）・青（Ｂ）の各絵素１１・１１・１１がそれぞれ各分割絵素ＲＡ・ＲＢ、分割絵素ＧＡ・ＧＢ、分割絵素ＢＡ・ＢＢに例えば２等分割され、各各分割絵素ＲＡ・ＲＢ、分割絵素ＧＡ・ＧＢ、分割絵素ＢＡ・ＢＢは、各液晶素子１１ａ・１１ｂにて互いに独立して駆動される。なお、上記各絵素１１・１１・１１は、従来の各赤（Ｒ）・緑（Ｇ）・青（Ｂ）の絵素領域である。
【００７９】
このような２つの液晶素子１１ａ・１１ｂからなる１つの絵素１１を駆動するために、本実施の形態の液晶表示装置は、図１に示すように、階調輝度比変換手段としての階調輝度比変換ブロック１、選択手段としての組み合わせ選択回路２、組み合わせ記憶手段、階調輝度比変換結果記憶手段、輝度比階調変換結果記憶手段としてのフレームメモリ３、輝度比階調変換手段としての輝度比階調変換ブロック４、液晶モジュール５を備えた表示駆動手段としての表示駆動部１０を有している。
【００８０】
上記階調輝度比変換ブロック１では、入力信号の階調データを輝度比に変換する。なお、本実施の形態において、明るさを輝度比で表現しているのは、輝度で説明をすると、絵素１１を分割した場合に、それぞれの液晶素子１１ａ・１１ｂの輝度は２分の１になってしまうので、説明が繁多になるためである。
【００８１】
一般的に、ＩＴＵ準拠の場合、階調ｎに対する輝度比Ｙｎｏｒｍの値は下記のように設定される。ただし、Ｎは最大階調とする。
【００８２】
Ｙｎｏｒｍ＝（ｎ／Ｎ）2.2                                    ………（１）
本実施の形態では、輝度の加算をするために、階調の入力データを上式によって輝度比に変換する必要がある。この階調輝度比変換ブロック１は、その演算を行う。
【００８３】
同様に、輝度比階調変換ブロック４では、各液晶素子１１ａ・１１ｂの輝度比データを表示する液晶モジュール５の階調輝度比特性に合わせて変換を行い、階調データに戻す。なお、この関数は、液晶モジュール５の特性に依存する。ＩＴＵ準拠の液晶モジュール５であれば、変換ブロックの演算の逆関数になる。
【００８４】
一方、階調輝度比変換ブロック１と輝度比階調変換ブロック４との間にある組み合わせ選択回路２では、輝度比データから、分割された液晶素子１１ａ・１１ｂのそれぞれの輝度比を計算によって選択する。
【００８５】
ここで、組み合わせ選択回路２における液晶素子１１ａ・１１ｂの各輝度比の選択方法を説明する。
【００８６】
まず、時点ｔに入力された１絵素の輝度比をＹｎｏｒｍ，ｔと記載する。また、１つの絵素１１を２つの液晶素子１１ａ・１１ｂで表示する場合における液晶素子１１ａ及び液晶素子１１ｂの各輝度比をＹｎｏｒｍ，ｔ，Ａ、及びＹｎｏｒｍ，ｔ，Ｂとする。なお、これら輝度比Ｙｎｏｒｍ，ｔ、輝度比Ｙｎｏｒｍ，ｔ，Ａ、及び輝度比Ｙｎｏｒｍ，ｔ，Ｂは、階調と１対１に対応する離散値となる。
【００８７】
また、この組み合わせ選択回路２は、フレームメモリ３を備えており、１フレーム前の液晶素子１１ａ・１１ｂの輝度比の情報を保存している。その１フレーム前の液晶素子１１ａ・１１ｂの輝度比の情報を、輝度比Ｙｎｏｒｍ，ｔ−１，Ａ、輝度比Ｙｎｏｒｍ，ｔ−１，Ｂとする。
【００８８】
まず、輝度比Ｙｎｏｒｍ，ｔから、輝度比Ｙｎｏｒｍ，ｔ，Ａと輝度比Ｙｎｏｒｍ，ｔ，Ｂとを求める手法を示す。
【００８９】
方法としては、輝度比Ｙｎｏｒｍ，ｔ，Ａを０から１まで例えば０.００５刻みに変化させ、それぞれの数値で演算を行い、最も良い値を求める。つまり、最も応答時間の短い輝度比Ｙｎｏｒｍ，ｔ，Ａの値と輝度比Ｙｎｏｒｍ，ｔ，Ｂの値との組み合わせを求める。
【００９０】
１つの絵素１１の輝度比は、分割した液晶素子１１ａ・１１ｂの輝度比の重み付き平均となるので、輝度比Ｙｎｏｒｍ，ｔと、輝度比Ｙｎｏｒｍ，ｔ，Ａ及び輝度比Ｙｎｏｒｍ，ｔ，Ｂとの間には、次式の関係がある。
【００９１】
Ｙｎｏｒｍ，ｔ＝（Ｙｎｏｒｍ，ｔ，Ａ＋Ｙｎｏｒｍ，ｔ，Ｂ）×０．５  …（２）
この式から、輝度比Ｙｎｏｒｍ，ｔ、及び輝度比Ｙｎｏｒｍ，ｔ，Ａが決まれば、輝度比Ｙｎｏｒｍ，ｔ，Ｂを求めることができる。ただし、これらは離散値であるので、最も近い値を選択することになる。
【００９２】
次に、液晶の表示の応答時間を数値化した関数を、ｆ（ｘ，ｙ）とする。この関数では、ｘを開始輝度、ｙを終了輝度としたとき、返し値つまりｆ（ｘ，ｙ）の値が、例えば、図３のように示される。
【００９３】
ここで、この図３について詳述する。この図３は、縦に開始時の輝度比（白輝度を１.００、黒輝度を０.００に正規化したもの）、横に終了時の輝度比を取り、１０％から９０％に変化するために必要な応答時間を記載している。輝度比の刻み値は、例えば０・０５としている。なお、実際に行う場合には０・００５刻みで行うのが精度の点でよい。また、上記応答時間としての値が、信号入力の開始０％から１００％のものではないのは、単に液晶の応答速度の規定が１０％から９０％で行われていることが多いためである。ＶＥＳＡの標準規格であれば信号が入力されてから９０％の輝度に変化するまでとなる。
【００９４】
この表について、開始輝度比０.００と終了輝度比０.００〜１.００との関係を図示すると、図４に示すようになる。この図４により、開始輝度比０.００の場合、終了輝度比との差が小さいほど応答時間ＲＴが長いことがわかる。すなわち、応答速度については、１００ｍｓを超える極端に遅いところがある。これはＭＶＡやＡＳＶモードの液晶の特性であり、黒表示の際にかける１Ｖから２、３Ｖに変化する際に応答速度が極端に遅くなる。この特性は、オーバーシュート駆動をしても、なくならない。これを避けるために、本実施の形態の駆動方法が有効となる。すなわち、応答速度の遅い組み合わせを避けることによって、特定の中間調における応答が遅いという現象を低減することができる。
【００９５】
上述のように、例えば図３に示す応答時間ＲＴに基いて１フレーム前の輝度比のデータはフレームメモリ３内に保存されているので、液晶素子１１ａの応答時間ＲＴＡは、次のようになる。
【００９６】
ＲＴＡ＝ｆ（Ｙｎｏｒｍ，ｔ−１，Ａ、Ｙｎｏｒｍ，ｔ，Ａ）            …（３）
同様に、（２）式から輝度比Ｙｎｏｒｍ，ｔ，Ｂが計算できるので、液晶素子１１ｂの応答時間ＲＴＢも、次の（４）式から計算できる。
【００９７】
ＲＴＢ＝ｆ（Ｙｎｏｒｍ，ｔ−１，Ｂ、Ｙｎｏｒｍ，ｔ，Ｂ）            …（４）
絵素１１の応答時間ＲＴは、（３）式と（４）式との長い方になる。
【００９８】
このようにして、全ての輝度比Ｙｎｏｒｍ，ｔ，Ａを使って、絵素１１の応答時間ＲＴを計算して求め、最も応答速度が小さくなる、輝度比Ｙｎｏｒｍ，ｔ，Ａを選択する。
【００９９】
輝度比Ｙｎｏｒｍ，ｔ，Ａが決まれば、（２）式より輝度比Ｙｎｏｒｍ，ｔ，Ｂが一意的に決まる。
【０１００】
この結果を、輝度比階調変換ブロック４に送る。
【０１０１】
以上の処理により、応答速度の改善を図ることができる。
【０１０２】
また、輝度比Ｙｎｏｒｍ，ｔ，Ａ、及び輝度比Ｙｎｏｒｍ，ｔ，Ｂの値を、定常的な輝度比の数値を使用する代わりに、１フレーム前の輝度比Ｙｎｏｒｍ，ｔ−１，Ａ、及び輝度比Ｙｎｏｒｍ，ｔ−１，Ｂから１フレームで到達する輝度比の数値から求めることにより、オーバーシュート駆動と共存することができる。
【０１０３】
以下、具体例にて説明する。
【０１０４】
今、開始輝度比０.００（黒表示）から終了輝度比０.０５までに輝度比を変化させるのに要する応答時間ＲＴは、図３に示すように、１００．５ｍｓである。したがって、輝度比０.００から輝度比０．０５に変化する場合、１つの素子で絵素が構成される場合は、１００．５ｍｓかかることになる。液晶素子が２個の場合は、例えば、片方を輝度比０.００で固定し、残りを輝度比０.００から輝度比０.１０に変化させる。輝度比輝度比０.００から輝度比０.１０への変化にかかる時間は、図３に示すように、８３．６ｍｓであるので、１７％程度の応答速度の改善を得ることができる。
【０１０５】
同様に、１絵素を構成する液晶素子の数が増えると増えた分だけ応答速度の高速化を計ることができる。
【０１０６】
上記の説明について、（３）式及び（４）式の記載方式を用いて説明すると、
ＲＴ＝ｆ（Ｙｎｏｒｍ，０.００、Ｙｎｏｒｍ，０.０５）＝１００．５ｍｓ
となる。すなわち、従来、一つの絵素１１に対して、同条件でこの絵素１１を表示させるために要する応答時間ＲＴは、１００．５ｍｓである。これに対し、本実施の形態では、例えば、この絵素１１を２等分割して、液晶素子１１ａ・１１ｂにてそれぞれ表示駆動する。
【０１０７】
上述のように、液晶素子１１ａに対しては、開始輝度比０.００（黒表示）及び終了輝度比０.００にて駆動する。このとき（３）式及び図３より、
ＲＴＡ＝ｆ（Ｙｎｏｒｍ，０.００，Ａ、Ｙｎｏｒｍ，０.００，Ａ）＝０ｍｓ
となる。
【０１０８】
一方、液晶素子１１ｂに対しては、開始輝度比０.００（黒表示）及び終了輝度比０.１０にて駆動する。このとき（４）式及び図３より、
ＲＴＢ＝ｆ（Ｙｎｏｒｍ，０.００，Ｂ、Ｙｎｏｒｍ，０.１０，Ｂ）＝８３.６ｍｓ
となる。
【０１０９】
また、このときの液晶素子１１ａと液晶素子１１ｂとの輝度比の重み付き平均は、（２）式より、
Ｙｎｏｒｍ，ｔ＝（Ｙｎｏｒｍ，０.００，Ａ＋Ｙｎｏｒｍ，０.１０，Ｂ）×０．５
＝０.０５
となり、この値は、一つの絵素１１の終了輝度比０.０５と同じである。したがって、上述のように液晶素子１１ａ・１１ｂを表示駆動すれば、その表示駆動時間は８３.６ｍｓであり、単独の絵素１１を表示駆動する時間１００．５ｍｓよりも短くなるように表示できることになる。
【０１１０】
ところで、上記の例では、液晶素子１１ａ・１１ｂの１つの組み合わせを示したものに過ぎない。したがって、他の組み合わせを選択すれば、より応答時間ＲＴの短いものが得られる。
【０１１１】
そこで、本実施の形態では、例えば、図５に示すルックアップテーブルＴ１を用いて、最短の応答時間ＲＴＡの組み合わせを選択している。
【０１１２】
このルックアップテーブルＴ１は、各液晶素子１１ａ・１１ｂについて、０.１刻みの組み合わせにおける応答時間ＲＴを示したものである。
【０１１３】
このルックアップテーブルＴ１は、縦に１フレーム前の液晶素子１１ａ・１１ｂの輝度比をとり、横に現フレームの入力データの輝度比をとる。そして、表中の数値は現フレームで液晶素子１１ａ・１１ｂに与えるべき輝度比を表す。なお、表が上下２段に分かれているが、上段に液晶素子１１ａ、下段に液晶素子１１ｂの情報をそれぞれ記載している。また、縦に記載された１フレーム前の液晶素子１１ａ・１１ｂの輝度比は、液晶素子１１ａの輝度比０に対して液晶素子１１ｂの輝度比０、０．１、０．２、…、０．９、１．０とし、次いで、液晶素子１１ａの輝度比０．１に対して液晶素子１１ｂの輝度比０、０．１、０．２、…、０．９、１．０とし、以下、同様に、液晶素子１１ａの輝度比1.０に対して液晶素子１１ｂの輝度比０、０．１、０．２、…、０．９、１．０まで続いている。
【０１１４】
このルックアップテーブルＴ１では、例えば、１フレーム前の液晶素子１１ａの輝度比が「０．１」、液晶素子１１ｂの輝度比が「０．５」であり、現フレームの入力データの輝度比が「０．７」であるとすると、現フレームの液晶素子１１ａの輝度比を「０．９３４」、液晶素子１１ｂの輝度比を「０．４６６」とするのが良いことを示している。
【０１１５】
このように、本実施の形態の液晶表示装置では、１表示領域である一つの赤（Ｒ）の絵素１１を複数の例えば分割絵素ＲＡ・ＲＢに分割して、各分割絵素ＲＡ・ＲＢの液晶素子１１ａ・１１ｂにてそれぞれの輝度比に基づいて表示させる。
【０１１６】
この場合、１つの赤（Ｒ）の絵素１１の輝度は、各分割絵素ＲＡ・ＲＢの液晶素子１１ａ・１１ｂの輝度の重み付き平均となる。したがって、各液晶素子１１ａ・１１ｂの輝度の表示に対して、開始輝度比と終了輝度比との長い応答時間となる組み合わせを避けることによって、特定の中間調における応答が遅いという現象を低減することができる。
【０１１７】
本実施の形態では、表示駆動部１０が、各液晶素子１１ａ・１１ｂの輝度比の重み付き平均による一つの例えば赤（Ｒ）の絵素１１の表示応答時間が、赤（Ｒ）の絵素１１を単独の液晶素子にて表示したと仮定した場合の表示応答時間よりも短くなるように、各液晶素子１１ａ・１１ｂを表示させる。
【０１１８】
それゆえ、応答速度の改善を図り得る液晶表示装置及びその駆動方法を提供することができる。
【０１１９】
また、本実施の形態の液晶表示装置では、表示駆動部１０の組み合わせ選択回路２は、各液晶素子１１ａ・１１ｂの輝度比の重み付き平均による例えば赤（Ｒ）の絵素１１の表示応答時間が、例えば赤（Ｒ）の絵素１１を単独の液晶素子にて表示したと仮定した場合の表示応答時間よりも短くなるように表示し得る各液晶素子１１ａ・１１ｂの輝度比の組み合わせから、最短の表示応答時間を表示するものを選択する。
【０１２０】
それゆえ、最短の表示応答時間にて表示することができる。
【０１２１】
また、本実施の形態の液晶表示装置では、表示駆動部１０のフレームメモリ３は、各液晶素子１１ａ・１１ｂの輝度比の重み付き平均による例えば赤（Ｒ）の絵素１１の表示応答時間が、例えば赤（Ｒ）の絵素１１を単独の液晶素子にて表示したと仮定した場合の表示応答時間よりも短くなるように表示し得る各種の組み合わせをテーブルにして記憶する。
【０１２２】
それゆえ、テーブルから容易に速く表示し得る各種の組み合わせを選択することができる。
【０１２３】
また、本実施の形態の液晶表示装置では、表示駆動部１０は、階調を輝度比に変換する階調輝度比変換ブロック１を備えているので、階調データを高速に表示することができる。
【０１２４】
また、本実施の形態の液晶表示装置では、表示駆動部１０は、階調を輝度比に変換する階調輝度比変換ブロック１と、組み合わせ選択回路２にて選択された最短の表示応答時間を表示する各液晶素子１１ａ・１１ｂの輝度比を階調に変換する輝度比階調変換ブロック４とを備えている。
【０１２５】
それゆえ、階調データを最速で表示することができる。
【０１２６】
また、本実施の形態の液晶表示装置の駆動方法では、例えば赤（Ｒ）の絵素１１を複数に分割する場合に、該赤（Ｒ）の絵素１１の面積を２等分割する。
【０１２７】
それゆえ、最も簡単な分割方法であるので、処理が簡単で比較的顕著な効果を得ることができ、いわゆる費用対効果が大きい。
【０１２８】
また、本実施の形態において、より簡便な実現を行う場合には、例えば、図６に示すように、図３において５０ｍｓを超える領域を含む終了輝度を禁止するという方法をとる。      
【０１２９】
こうすることによって、遅い応答速度を避けつつ、前のフレームデータを参照する必要がなくなるので、フレームメモリが不要となり、コストダウンすることができる。
【０１３０】
特に、セル厚を薄くすると歩留まりの大幅な悪化が発生するが、図６に示すように、応答速度は高速化する。このような場合において、この手法は特に有効となる.
なお、本実施の形態では、組み合わせ選択回路２にＤＳＰ（Digital Signal Processor)２ａを使用しているが、必ずしもこれに限らず、例えば、アナログ回路等の他の回路で構成しても良い。また、システムを液晶モジュール外に配置しているが、これを、液晶モジュールや液晶パネルそのものに組み込んでも構わない。
〔実施の形態２〕
本発明の他の実施の形態について説明すれば、以下の通りである。なお、本実施の形態で述べる以外の構成は、前記実施の形態１と同じである。したがって、説明の便宜上、前記の実施の形態１の図面に示した部材と同一の機能を有する部材については、同一の符号を付し、その説明を省略する。
【０１３１】
本実施の形態の液晶表示装置では、前記実施の形態１の液晶表示装置の構成に加えて、前記実施の形態１で述べた、輝度比Ｙｎｏｒｍ，ｔ，Ａと輝度比Ｙｎｏｒｍ，ｔ，Ｂとを選択する際に、下記のアルゴリズムを追加している。
【０１３２】
（１）応答時間ＲＴの計算の際に、この数値が１フレームの時間より短いか否かをチェックする。
【０１３３】
（２）１フレームの時間よりも短いものが複数ある場合は、その中で、輝度比Ｙｎｏｒｍ，ｔ，Ａと輝度比Ｙｎｏｒｍ，ｔ，Ｂとの差が最も小さなものを選択する。
【０１３４】
ここで、１フレームの長さはＮＴＳＣであれば、周波数６０Ｈｚ、時間で１６．７ｍｓであり、ＰＡＬ、ＳＥＣＡＭであれば、周波数５０Ｈｚ、２０ｍｓとなる。
【０１３５】
このようにするのは、静止画の場合に、輝度比Ｙｎｏｒｍ，ｔ，Ａと輝度比Ｙｎｏｒｍ，ｔ，Ｂとの差が小さくなるようにすることによって、ざらざら感を少なくするためである。つまり、１サブピクセル単位の空間周波数成分の振幅を小さくすることによって、人間の視覚特性では認識し難くするためである。なお、空間周波数については、実施の形態６にて詳述する。
【０１３６】
このように、本実施の形態の液晶表示装置では、組み合わせ選択回路２の判断手段としてのＤＳＰ２ａは、最短の表示応答時間を表示する各液晶素子１１a・１１bの輝度比の組み合わせを選択するときに、該組み合わせの表示応答時間が、１フレームの表示時間よりも短いか否かを判断する。
【０１３７】
それゆえ、１フレームの表示時間よりも長い場合は、表示応答時間ができるだけ短くなるように選択を行う必要があり、これにより応答速度が改善できたという結果を得ることができる。
【０１３８】
一方、１フレームの表示時間よりも短い場合については、それ以上短くする意味がないので、応答時間が１フレームの表示時間以下を守れる組み合わせのうちで、表示品位のよい組み合わせを選択することができる。
【０１３９】
この表示品位との兼ね合いによる組み合わせの選択は、液晶パネル自身の応答速度の改善によって、より重要となる。例えば、前記図３に示すように、現行の液晶表示装置のセル厚を小さくしてやれば、前記図６に示すように、応答速度が改善される。このとき、組み合わせの選択肢は増加し、その中から最良のものを選ぶことによって、品位が良くかつ応答速度の早い液晶表示装置を実現することができる。
【０１４０】
また、本実施の形態の液晶表示装置では、組み合わせ選択回路２は、ＤＳＰ２ａの演算によって、１フレームの時間よりも短い表示応答時間となる各液晶素子１１ａ・１１ｂの輝度比の組み合わせが複数存在する場合には、各液晶素子１１ａ・１１ｂの表示応答時間の差が最も小さいものを選択する。
【０１４１】
それゆえ、静止画の場合に、各液晶素子１１ａ・１１ｂの輝度比の差を小さくなるようにすることによって、人間の視覚特性による認識を困難にし、表示品質の劣化を防止することができるという効果を奏する。
〔実施の形態３〕
本発明の他の実施の形態について、図７及び図８に基づいて説明すれば、以下の通りである。なお、本実施の形態で述べる構成は、実施の形態１で述べた階調輝度比変換ブロック１及び輝度比階調変換ブロック４に代えて、図７に示すように、階調データ記憶手段としてのフレームメモリ３０にテーブル形式にして記憶された階調データを、組み合わせ選択回路２０が選び出すものとなっている。
【０１４２】
すなわち、本実施の形態においては、組み合わせ選択回路２０のフレームメモリ３０に蓄積するのは、液晶素子１１ａ及び液晶素子１１ｂの階調データとなる。ただし、色深度の三乗（現フレームの入力、階調１フレーム前の液晶素子１１ａの階調、１フレーム前の液晶素子１１ｂの階調）のテーブルになるので、図８に示すように、かなり大きなものになる。
【０１４３】
このルックアップテーブルＴ２は、縦に１フレーム前の液晶素子１１ａ・１１ｂの階調をとり、横に現フレームの入力データの階調をとる。そして、表中の数値は現フレームで１１ａ・１１ｂに与えるべき階調を表す。なお、表が上下２段に分かれているが、上段に液晶素子１１ａ、下段に液晶素子１１ｂの情報をそれぞれ記載している。また、縦に記載された１フレーム前の液晶素子１１ａ・１１ｂの階調は、液晶素子１１ａの階調０に対して液晶素子１１ｂの階調０、１７、３４、…、２３８、２５５とし、次いで、液晶素子１１ａの階調１７に対して液晶素子１１ｂの階調０、１７、３４、…、２３８、２５５とし、以下、同様に、液晶素子１１ａの階調２５５に対して液晶素子１１ｂの階調０、１７、３４、…、２３８、２５５まで続いている。
【０１４４】
このルックアップテーブルＴ２では、例えば、１フレーム前の液晶素子１１ａの階調が「１７」、液晶素子１１ｂの階調が「３４」であり、現フレームの入力データの階調が「１８７」であるとすると、現フレームの液晶素子１１ａの階調を「２５５」、液晶素子１１ｂの階調を「３１」とするのが良いことを示している。
【０１４５】
このように、本実施の形態の液晶表示装置では、各液晶素子１１ａ・１１ｂにおける入力データである現フレームの階調に対して、組み合わせ選択回路２０により予め最短の表示応答時間にて表示するものとして輝度比に基き選択されかつ階調に変換された各表示用階調データをテーブルにして格納したフレームメモリ３０を備えている。
【０１４６】
それゆえ、入力データである現フレームの階調が与えられたときに、予め、輝度比に基いて選択されかつ階調に変換された表示用階調データがテーブルにして格納されているので、見た目の処理は、階調から輝度比への変換処理、及び最短の表示応答時間となる輝度比から階調への変換処理がなくなり、処理速度を速めることができる。
【０１４７】
また、応答速度の改善処理をソフト的に行うことができ、かつコンパクトに行うことができる。
〔実施の形態４〕
本発明の他の実施の形態について、図９ないし図１３に基づいて説明すれば、以下の通りである。なお、本実施の形態で述べる以外の構成は、前記実施の形態１ないし実施の形態３と同じである。したがって、説明の便宜上、前記の実施の形態１ないし実施の形態３の図面に示した部材と同一の機能を有する部材については、同一の符号を付し、その説明を省略する。
【０１４８】
前記実施の形態１〜３では、１つの絵素１１を２分割した形状の液晶素子１１ａ・１１ｂで説明を行っていた。
【０１４９】
しかし、本発明では、組み合わせが増えれば良いので、１つの絵素１１の分割を２等分にせず、例えば、図９（ａ）に示すように、面積の異なる素子や並びを入れ替えたりして構成することが可能である。すなわち、同図に示すように、赤（Ｒ）の絵素を、例えば、液晶素子１２ａ：液晶素子１２ｂ＝３：１の面積比にすることができる。また、その配置も、必ずしも隣合うものでなく、分散しているものでもよい。
【０１５０】
また、図９（ｂ）に示すように、必ずしも、１つのピクセル（画素）１３内の液晶素子を赤（Ｒ）・緑（Ｇ）・青（Ｂ）の三色で構成する必要も無く、例えば、赤（Ｒ）・緑（Ｇ）・青（Ｂ）・黄色（Ｙ）・マゼンタ（Ｍ）・シアン（ＣＮ）の６色で構成しても良い。黄色（Ｙ）・マゼンタ（Ｍ）・シアン（ＣＮ）は、それぞれ赤（Ｒ）・緑（Ｇ）・青（Ｂ）のうちの２色を透過するので、輝度を大きくとることができる。ただし、マゼンタ（Ｍ）のカラーフィルタは作成が難しいので、図９（ｃ）に示すように、マゼンタ（Ｍ）を抜いた構成が現実的でである。
【０１５１】
また、輝度比が大きくなるようにするのであれば、図９（ｄ）に示すように、白（Ｗ）の液晶素子を加えた構成が適している。ここで、白（Ｗ）の液晶素子とは、カラーフィルタがないものを意味する。赤（Ｒ）・緑（Ｇ）・青（Ｂ）３色のカラーフィルタを使った場合の約３倍明るくなる。このカラーフィルタがないという例は、白黒表示で問題のない医療用のレントゲン写真を表示するようなものに使用されている。
【０１５２】
ここで、各パターンについての、各輝度比の求め方について説明する。
【０１５３】
最初に、図９（ａ）のパターンでは、図１０に示すように、分割サブピクセルのサイズと輝度比とを定義する。ただし、ｍ＋ｎ＝１とする。なお、一般に、ピクセル（画素）とは、画像を構成する最小面積単位であり、その中では輝度レベル、色等が一様とみなされる。また、ピクセル（画素）内には、一般に、赤（Ｒ）・緑（Ｇ）・青（Ｂ）の絵素が存在する。また、このような絵素を構成する単位をサブピクセルとされている。本実施の形態では、このサブピクセルをさらに分割しているので、その個々のものを分割サブピクセルと言う。
【０１５４】
上記ピクセルの赤（Ｒ）の輝度をＹｎｏｒｍ，ｔ，Ｒ、緑（Ｇ）の輝度をＹｎｏｒｍ，ｔ，Ｇ、青（Ｂ）の輝度をＹｎｏｒｍ，ｔ，Ｂとすると、次式のように表せる。
【０１５５】
Ｙｎｏｒｍ，ｔ，Ｒ＝Ｙｎｏｒｍ，ｔ，ＲＡ×ｍ＋Ｙｎｏｒｍ，ｔ，ＲＢ×ｎ
Ｙｎｏｒｍ，ｔ，Ｇ＝Ｙｎｏｒｍ，ｔ，ＧＡ×ｍ＋Ｙｎｏｒｍ，ｔ，ＧＢ×ｎ
Ｙｎｏｒｍ，ｔ，Ｂ＝Ｙｎｏｒｍ，ｔ，ＢＡ×ｍ＋Ｙｎｏｒｍ，ｔ，ＢＢ×ｎ
次に、図９（ｂ）のパターンでは、図１１に示すように、分割サブピクセルのサイズと輝度比とを定義する。ただし、ｍ＋ｎ＝１とする。なお、本実施の形態では、異なる色の絵素を付加する場合も、各絵素について、分割サブピクセルと言う。
【０１５６】
このピクセルの赤（Ｒ）の輝度をＹｎｏｒｍ，ｔ，Ｒ、緑（Ｇ）の輝度をＹｎｏｒｍ，ｔ，Ｇ、青（Ｂ）の輝度をＹｎｏｒｍ，ｔ，Ｂとすると、次式のように表せる。
【０１５７】
Ｙｎｏｒｍ，ｔ，Ｒ＝Ｙｎｏｒｍ，ｔ，ＲＡ×ｍ＋Ｙｎｏｒｍ，ｔ，ＹＢ×ｎ
＋Ｙｎｏｒｍ，ｔ，ＷＢ×ｎ
Ｙｎｏｒｍ，ｔ，Ｇ＝Ｙｎｏｒｍ，ｔ，ＧＡ×ｍ＋Ｙｎｏｒｍ，ｔ，ＹＢ×ｎ
＋Ｙｎｏｒｍ，ｔ，ＣＢ×ｎ＋Ｙｎｏｒｍ，ｔ，ＷＢ×ｎ
Ｙｎｏｒｍ，ｔ，Ｂ＝Ｙｎｏｒｍ，ｔ，ＢＡ×ｍ＋Ｙｎｏｒｍ，ｔ，ＣＢ×ｎ
＋Ｙｎｏｒｍ，ｔ，ＷＢ×ｎ
さらに、図９（ｃ）に示すパターンでは、図１２に示すように、分割サブピクセルのサイズと輝度比とを定義する。ただし、ｍ＋ｎ＝１とする。
【０１５８】
上記ピクセルの赤（Ｒ）の輝度をＹｎｏｒｍ，ｔ，Ｒ、緑（Ｇ）の輝度をＹｎｏｒｍ，ｔ，Ｇ、青（Ｂ）の輝度をＹｎｏｒｍ，ｔ，Ｂとすると、次式のように表せる。
【０１５９】
Ｙｎｏｒｍ，ｔ，Ｒ＝Ｙｎｏｒｍ，ｔ，ＲＡ×ｍ＋Ｙｎｏｒｍ，ｔ，ＹＢ×１.５ｎ
Ｙｎｏｒｍ，ｔ，Ｇ＝Ｙｎｏｒｍ，ｔ，ＧＡ×ｍ＋Ｙｎｏｒｍ，ｔ，ＹＢ×１.５ｎ
＋Ｙｎｏｒｍ，ｔ，ＣＢ×１.５ｎ
Ｙｎｏｒｍ，ｔ，Ｂ＝Ｙｎｏｒｍ，ｔ，ＢＡ×ｍ＋Ｙｎｏｒｍ，ｔ，ＣＢ×１.５ｎ
最後に、図９（ｄ）に示すパターンでは、図１３に示すように、分割サブピクセルのサイズと輝度比とを定義する。ただし、ｍ＋ｎ＝１とする。
【０１６０】
このピクセルの赤（Ｒ）の輝度をＹｎｏｒｍ，ｔ，Ｒ、緑（Ｇ）の輝度をＹｎｏｒｍ，ｔ，Ｇ、青（Ｂ）の輝度をＹｎｏｒｍ，ｔ，Ｂとすると、次式のように表せる。
【０１６１】
Ｙｎｏｒｍ，ｔ，Ｒ＝Ｙｎｏｒｍ，ｔ，ＲＡ×ｍ＋Ｙｎｏｒｍ，ｔ，ＹＢ×ｎ
＋Ｙｎｏｒｍ，ｔ，ＷＢ×ｎ
Ｙｎｏｒｍ，ｔ，Ｇ＝Ｙｎｏｒｍ，ｔ，ＧＡ×ｍ＋Ｙｎｏｒｍ，ｔ，ＹＢ×ｎ
＋Ｙｎｏｒｍ，ｔ，ＣＢ×ｎ＋Ｙｎｏｒｍ，ｔ，ＷＢ×ｎ
Ｙｎｏｒｍ，ｔ，Ｂ＝Ｙｎｏｒｍ，ｔ，ＢＡ×ｍ＋Ｙｎｏｒｍ，ｔ，ＣＢ×ｎ
＋Ｙｎｏｒｍ，ｔ，ＷＢ×ｎ
このように、本実施の形態の液晶表示装置の駆動方法では、赤（Ｒ）・緑（Ｇ）・青（Ｂ）の３種類の各絵素に分割すると共に、各赤（Ｒ）・緑（Ｇ）・青（Ｂ）の絵素についてはさらに２分割する。したがって、１表示領域に６個の分割表示領域ができることになる。
【０１６２】
それゆえ、一般的に、１ピクセルには赤（Ｒ）・緑（Ｇ）・青（Ｂ）が存在するが、その１ピクセルの赤（Ｒ）・緑（Ｇ）・青（Ｂ）をさらに分割することによって、１表示領域である１ピクセルの赤（Ｒ）・緑（Ｇ）・青（Ｂ）のそれぞれについて、応答速度の改善を図ることができる。
【０１６３】
また、本実施の形態の液晶表示装置の駆動方法では、各絵素についてさらに２分割する場合には、青（Ｂ）同士が隣接しないように配置する。
【０１６４】
それゆえ、輝度の低い青（Ｂ）とサブピクセル間に存在するＢＭ（ブラックマトリクス）と呼ばれる配線の遮光部分とがつながって見え、太い暗線として見えてしまうという表示品位の劣化を防止することができる。
【０１６５】
また、本実施の形態の液晶表示装置の駆動方法では、赤（Ｒ）・緑（Ｇ）・青（Ｂ）の３種類の各絵素の外に他の種類の絵素を含めて分割する。例えば、赤（Ｒ）・緑（Ｇ）・青（Ｂ）・黄色（Ｙ）・マゼンタ（Ｍ）・シアン（ＣＮ）の各絵素に分割することが可能である。
【０１６６】
それゆえ、１ピクセルの中に赤（Ｒ）・緑（Ｇ）・青（Ｂ）以外の絵素を加えることにより、各赤（Ｒ）・緑（Ｇ）・青（Ｂ）の絵素の輝度を大きくすることができ、その分、応答速度の改善を大きくすることができる。
【０１６７】
また、本実施の形態の液晶表示装置の駆動方法では、赤（Ｒ）・緑（Ｇ）・青（Ｂ）・黄色（Ｙ）・シアン（ＣＮ）の各絵素に分割することが可能である。
【０１６８】
それゆえ、マゼンタ（Ｍ）のカラーフィルタは作成が難しいので、マゼンタ（Ｍ）を抜いた構成であれば、容易に形成することができる。
【０１６９】
また、本実施の形態の液晶表示装置の駆動方法では、赤（Ｒ）・緑（Ｇ）・青（Ｂ）・黄色（Ｙ）・白（Ｗ）・シアン（ＣＮ）の各絵素に分割することが可能である。
【０１７０】
それゆえ、白（Ｗ）の絵素を付加することによって、１ピクセル内の輝度比を十分に高めることができる。
〔実施の形態５〕
本発明の他の実施の形態について、図１４に基づいて説明すれば、以下の通りである。なお、本実施の形態で述べる以外の構成は、前記実施の形態１ないし実施の形態４と同じである。したがって、説明の便宜上、前記の実施の形態１ないし実施の形態４の図面に示した部材と同一の機能を有する部材については、同一の符号を付し、その説明を省略する。
【０１７１】
本発明では、さらに、高精細度モジュールに低解像度信号を表示する場合も、同様の構成をとることができる。例えば、図１４に示すように、ＵＸＧＡのモジュールにＳＶＧＡの信号を映そうとする場合には、ＳＶＧＡの１ピクセル内に４つのＵＸＧＡのピクセルが存在することになる。したがって、この４個に対して組み合わせを選択することにより、ＳＶＧＡ信号に対する応答速度を向上させることができる。
【０１７２】
なお、ＵＸＧＡは１６００×１２００ピクセルの解像度を持つ。また、ＳＶＧＡは８００×６００ピクセルの解像度を持つ。
【０１７３】
本実施の形態では、ＳＶＧＡの入力信号をスケーリングしてＵＸＧＡの液晶表示装置に投影する場合のことを述べている。
【０１７４】
ＮＴＳＣやＰＡＬ、ＳＥＣＡＭといったＴＶの信号はＶＧＡ（６４０×４８０）相当となっているので、この入力信号に対するスケーリングと書いたほうが素直であるが、ＶＧＡの定数倍の解像度の規格が無いため、説明を容易にするためにＵＸＧＡとＳＶＧＡとの例を挙げている。
【０１７５】
この駆動方法では、ＴＶ用の場合は解像度が低くても動画を表示する必要が高いので応答速度が高い必要がある一方、モニタとして使用する場合は、解像度が優先するため、両方の用途に使う場合にそれぞれ適した表示を行うことができる。勿論、ＰＣ等の３Ｄシミュレータ等の高速描画が必要なゲーム等についても、高精細な描画処理をすると大きな演算能力を必要とするため、低解像度にならざるを得ないという面があるので、ビデオカードのドライバに、本実施の形態の処理を組み込むという方法も考えられる。
【０１７６】
このように、本実施の形態の液晶表示装置の駆動方法では、１表示領域を複数に分割する場合に、例えばＳＶＧＡ（解像度８００×６００ピクセル）の１ピクセル内にはＵＸＧＡ（解像度１６００×１２００ピクセル）の４ピクセルを含むような定数倍関係にある場合は、含まれるピクセルに対して、輝度差を持たせることによって、低解像度のときに応答速度を改善させることができる。なお、ＶＧＡ（６４０×４８０ピクセル）とＱＶＧＡ（１２８０×９６０ピクセル）、ＸＧＡ（１０２４×７６８ピクセル）とＱＸＧＡ（２０４８×１５３６ピクセル）等も同様の関係になる。
【０１７７】
それゆえ、例えば、ＴＶ用ディスプレイの場合は解像度が低くても動画を表示する必要が高いので応答速度が高い必要があり、コンピュータモニタとして使用する場合は、解像度が優先する。本実施の形態の液晶表示装置は、両方の用途に切り替えて使用できるものであるが、このように分割しておくことによって、コンピュータモニタにＴＶ用の映像信号が入力された場合に、容易に切り替えて、応答速度を速くすることができる。
〔実施の形態６〕
本発明の他の実施の形態について、図１５ないし図２２に基づいて説明すれば、以下の通りである。なお、本実施の形態で述べる以外の構成は、前記実施の形態１ないし実施の形態５と同じである。したがって、説明の便宜上、前記の実施の形態１ないし実施の形態５の図面に示した部材と同一の機能を有する部材については、同一の符号を付し、その説明を省略する。
【０１７８】
液晶表示装置を使用するのが人間であるので、本発明については、人間の視角特性と組み合わせて使用することができる。
【０１７９】
すなわち、人間の空間の分解能というものには一定の限界がある。したがって、空間周波数とその輝度の変化の大きさとによって、認識できる部分とできない部分とが生じる。そのため、分解できない部分については、その範囲内で輝度の大きさが変化しなければ、人間の目には認識できない。このため、その範囲内で、絵素毎にその階調をずらすことができる。そして、階調をずらすときに、応答速度を考慮して階調をずらすことにより、応答速度の向上を図ることができる。
【０１８０】
本実施の形態では、その性質から液晶モジュールの精細度が細かければ細かいほど適用し易くなる。
【０１８１】
ここで、空間周波数というのは、各ピクセルの並びをフーリエ変換した結果のことをいう。高い空間周波数成分というのは、１ピクセル毎の変化といったような細かい刻みの変化の成分であり、低い空間周波数成分というのは沢山のピクセルに跨って変化するような成分である。また、人間の目における空間周波数というのは、人間の目を中心とした角度よって決まる。
【０１８２】
より具体的に説明する。例えば、紙の上に細かいピッチで等間隔に線を引いて、それから距離を離していくと線とは認識できずにグレーのように見える。これは、距離を離すことによって人間の目に白と黒の変化を認識できない空間周波数になったため、グレーべたのように見えているのある。同様に、輝度の変化が小さい場合も認識し難くなる。例えば、図１５（ａ）に示すものが、空間周波数の低い白と黒のストライプパターンであり、図１５（ｂ）に示すものが、階調９６と階調１２８との輝度差が小さく空間周波数の高い例である。目を離して行けば、図１５（ｂ）に示す方が近い距離でグレーべたに見え始める。
【０１８３】
本実施の形態における絵素毎の階調のずらし方について説明する。本実施の形態では、例えば、図１６に示すように、各絵素毎にその階調をずらす。この図１６は、人間の目で分解できない範囲内で応答速度を考慮して階調をずらしているものであると共に、その範囲内で輝度の大きさが変化しないものとなっている。
【０１８４】
すなわち、図１６に示すように、赤（Ｒ）については、４個のピクセルをそれぞれ、＋４、−２、＋２、−４のように変化させている。したがって、この変化の合計Ｔは、
Ｔ＝（＋４）＋（−２）＋（＋２）＋（−４）＝０
となり、この表示領域全体における赤（Ｒ）については、階調は変化がなく、したがって、輝度比の大きさも変化しないといえる。人間の目は分解能を超えた部分については、分解できる領域内の光束の合計を認識しているので、その領域内の各スペクトルの光束値が変わらなければ同じに見える。そのため、このような領域内での各色の輝度比の値がそれぞれ同じになる必要がある。しかし、個々のピクセルについては、階調を変化させ、輝度比の大きさを変えることができるので、この変化のさせ方について、種々のパターンを作成しておき、そのうちの最も応答速度の速いものを採用することによって、全体としての表示速度を速めることができる。
【０１８５】
同図においては、緑（Ｇ）及び青（Ｂ）についても、合計Ｔは、それぞれ０となっている。また、階調の変化のさせ方について、人間の認識は、緑（Ｇ）の感覚が鋭敏で、次に赤（Ｒ）、最も鈍感なのが青（Ｂ）となっており、ずらせる量は青（Ｂ）が一番大きく、ついで赤（Ｒ）、緑（Ｇ）の順になる。
【０１８６】
以下、具体例にて説明する。
【０１８７】
まず、図１７に示すように、ステップ１として、１画面のデータを８×８ピクセルの正方形に切り分ける。次いで、図１８及び図１９に示すように、ステップ２として、８×８の階調変化テーブルとしての空間拡散テーブルを複数用意する。これら各空間拡散テーブルは、データに対してテーブルに記載された数値を加減算しても人間の目には認識されないことを基準に生成する。
【０１８８】
本実施の形態では、３２＋１種類のものを用意した。＋１種類の空間拡散テーブルは空間拡散をかけないというもので、ノイズ成分がなくても問題ないときに重要である。
【０１８９】
次いで、ステップ３として、上記ステップ１で切り分けた８×８のデータの処理を行う。具体的には、図２０（ａ）（ｂ）に示すように、マトリクスの１フレーム前のデータと現在のフレームのデータとを取り出す。
【０１９０】
次いで、ステップ４として、現在のフレームのデータと１フレーム前のデータとの比較を行う。そして、その差の最大値が、一定階調以下の場合は、現在のフレームのデータをそのまま出力する（後述するステップ９へ移行する）。
【０１９１】
すなわち、このステップ４では、現在の画像が静止画であるか動画であるかの判別を行っている。静止画の場合には、応答速度を向上させる必要がないので、以下の処理が不要だからである。また、一定値以下の誤差は、アナログのノイズや、ＴＶのＩ／Ｐ（インターレース・プログレッシブ）変換によるノイズと考えられるので、静止画と判断しても差し支えないし、画像としてはノイズを忠実に再現しない方がきれいに見える。
【０１９２】
次いで、ステップ５として、図２１に示すように、現在のフレームデータにそれぞれの空間拡散テーブル１〜３３における数値の加減算を行う。
【０１９３】
次いで、ステップ６として、図２２に示すように、1フレーム前のデータとステップ５で求めた各テーブルの数値から、応答時間ＲＴ（単位はｍｓ）を計算する。
【０１９４】
次いで、ステップ７として、ステップ６の結果から使用する空間拡散テーブルを選択する。このときの基準は、解像度によって異なる。具体的には、解像度が粗い場合には、テーブル中の一番長いデータを比較して、最も応答時間ＲＴの短いテーブルを選択する。一方、解像度が細かい場合には、各テーブルの数値の平均を求めて、最も応答時間ＲＴの短いテーブルを選択する。
【０１９５】
また、緑（Ｇ）の輝度成分は、ＩＴＵの規格に基づく場合では１つのピクセルに約６割の輝度を含んでおり、緑（Ｇ）の輝度が大きいので、緑（Ｇ）のデータのみを使用して選択を行ってもよい。ただし、ＯＡ用のモジュールは白色度が青みがかかっている（青（Ｂ）の輝度成分が多めになっている。）、国内Ｔ社向けのモジュールは赤みがかっている(赤の輝度成分が多めになっている。)等といった標準外のモジュールが存在するので、注意が必要である。
【０１９６】
次いで、ステップ８として、ステップ７で選択したデータを出力する。なお、この計算は、ステップ５で実行済みである。
【０１９７】
最後に、ステップ９として、出力したデータをフレームメモリ３に書き込む。
【０１９８】
このように、本実施の形態の液晶表示装置の駆動方法では、１表示領域を複数に分割する場合に、人間の目には認識できない範囲内で階調を変化させ、その変化させた階調を輝度比に変換し、その後、表示応答時間が短くなるようにする。
【０１９９】
それゆえ、人間の視角特性を利用して、応答速度の改善を図ることができる。
【０２００】
また、本実施の形態の液晶表示装置の駆動方法では、人間の目には認識できない範囲内で階調を変化させる場合に、複数種類の階調変化テーブルである空間拡散テーブルと、１種類の階調変化０の階調変化テーブルである空間拡散テーブルとを使用する。
【０２０１】
それゆえ、＋１種類の階調変化０の階調変化テーブルである空間拡散テーブルは階調の増減変化をかけないというものであり、空間拡散が必要なければ、空間拡散しない方が入力信号を忠実に出力することができるという点で重要である。
【０２０２】
また、本実施の形態の液晶表示装置の駆動方法では、１表示領域における現在のフレームの階調と１フレーム前の階調とを比較し、全液晶素子における階調差の最大値が一定階調以下の場合は、現在のフレームの階調をそのまま出力する。
【０２０３】
それゆえ、全液晶素子における階調差の最大値が一定階調以下の場合は、アナログ信号固有のノイズやＩ／Ｐ変換によるノイズの影響で発生した階調差であり、動画ではないと判断して、本実施の形態の処理を回避することができる。
【０２０４】
また、本実施の形態の液晶表示装置の駆動方法では、１表示領域における現在のフレームの階調と前記各階調変化テーブルである空間拡散テーブルの階調とを加えた値を輝度比に変換し、さらにその輝度比に対応する表示応答時間を求めた各表示応答時間テーブルを作成する。
【０２０５】
したがって、このとき、複数種類の各表示応答時間テーブルができることになり、どのパターンを選択するかの問題となる。
【０２０６】
そこで、本実施の形態では、解像度が粗い場合には、上記各表示応答時間テーブルのうち最も表示応答時間の長いデータ同士を互いに比較することにより、最も表示応答時間の短い表示応答時間テーブルを選択して表示させる。
【０２０７】
すなわち、各表示応答時間テーブルにおいて、それぞれ最も表示応答時間の長いデータがそのパターンにおける表示必要時間である。したがって、解像度が粗い場合には、最も表示応答時間の長いデータ同士を互いに比較し、その表示応答時間の最も短いパターンを選択することにより、最も表示応答時間の短い表示応答時間テーブルを選択することができる。
【０２０８】
一方、解像度が細かい場合には、上記各表示応答時間テーブルの各表示応答時間のデータの平均を求めて互いに比較することにより、最も表示応答時間の短い表示応答時間テーブルを選択して表示させる。
【０２０９】
すなわち、解像度が細かい場合には、１表示領域自体の面積が小さいので、各そのパターンの表示応答時間のデータの平均にて相互にいずれが短くなるように表示できるかの選択を行う方が、その１表示領域全体が短くなるように表示できることになる。
【０２１０】
それゆえ、解像度が細かいか粗いかによって、選択方法を変えることによって、実質的に応答速度を速くすることができる。
【０２１１】
また、本実施の形態の液晶表示装置の駆動方法では、白色度（全サブピクセルが最大輝度で点灯している状態の色度）の設定によって、緑（Ｇ）の輝度成分が１つのピクセルの中に５割以上含まれている場合には、緑（Ｇ）のデータのみを比較して、最も表示応答時間の短い表示応答時間テーブルを選択しても良い。
【０２１２】
それゆえ、緑（Ｇ）は輝度成分が大きく目立ち易いので、緑（Ｇ）のデータを基準にして応答速度を決定することによって、より簡易的に実現可能であるという効果を奏する。
【産業上の利用可能性】
【０２１３】
本発明の液晶表示装置及びその駆動方法は、ある程度高精細なモジュールでしか使用できないといった使用するハード的な制約がある。大型低精細なＴＶ等には使い難い。どちらかというと、中小型ＴＶ高精彩モニタノートの動画対応用の液晶モニタや、今後出てくるＨＤＴＶ（High Definition Television）等のものがターゲットとなる。
【図面の簡単な説明】
【０２１４】
【図１】本発明の実施形態を示すものであり、液晶表示装置の表示駆動部の構成を示すブロック図である。
【図２】上記液晶表示装置における各絵素がそれぞれ各分割絵素に２等分割された状態を示す平面図である。
【図３】上記液晶表示装置における各開始時の輝度比から各終了時の輝度比に変化するのに必要な表示応答時間を示す図である。
【図４】図３において、開始時の輝度比を０としたときに、各終了時の輝度比に変化するのに必要な表示応答時間を示すグラフである。
【図５】各絵素がそれぞれ各分割絵素に２等分割された場合における、各液晶素子の各開始時の輝度比から各終了時の輝度比に変化するのに必要な表示応答時間を輝度比０.１刻みに示す図である。
【図６】本実施の形態の変形例を示すものであり、上記液晶表示装置における各開始時の輝度比から各終了時の輝度比に変化するのに必要な表示応答時間を示す図である。
【図７】本発明の他の実施の形態を示すものであり、組み合わせ選択回路及びフレームメモリにて液晶モジュールを駆動する液晶表示装置の表示駆動部の構成を示すブロック図である。
【図８】現フレームの階調に対して、次のフレームを表示するために、最短の応答時間となる階調データをテーブル化したルックアップテーブルを示す図である。
【図９】（ａ）は面積の異なる液晶素子や各絵素の並びを入れ替えたりして構成した１つの表示領域を示す平面図であり、（ｂ）は液晶素子を赤（Ｒ）・緑（Ｇ）・青（Ｂ）・黄色（Ｙ）・マゼンタ（Ｍ）・シアン（ＣＮ）の６色で構成した１つの表示領域を示す平面図であり、（ｃ）は液晶素子を赤（Ｒ）・緑（Ｇ）・青（Ｂ）・黄色（Ｙ）・シアン（ＣＮ）の５色で構成した１つの表示領域を示す平面図であり、（ｄ）は液晶素子を赤（Ｒ）・緑（Ｇ）・青（Ｂ）・黄色（Ｙ）・白（Ｗ）・シアン（ＣＮ）の６色で構成した１つの表示領域を示す平面図である。
【図１０】図９（ａ）の場合の各表示応答時間を求める算出モデルを示す説明図である。
【図１１】図９（ｂ）の場合の各表示応答時間を求める算出モデルを示す説明図である。
【図１２】図９（ｃ）の場合の各表示応答時間を求める算出モデルを示す説明図である。
【図１３】図９（ｄ）の場合の各表示応答時間を求める算出モデルを示す説明図である。
【図１４】ＵＸＧＡのモジュールにＳＶＧＡの信号を映そうとする場合に、ＵＸＧＡのモジュールとＳＶＧＡのモジュールとの関係を示す平面図である。
【図１５】（ａ）は空間周波数の低い白と黒のストライプパターンを示す平面図であり、（ｂ）は階調９６と階調１２８との輝度差が小さく空間周波数の高い例を示す平面図である。
【図１６】空間周波数を考慮して、各絵素毎に階調をずらした表示領域を示す平面図である。
【図１７】空間拡散を利用する場合に、１画面のデータを８×８ピクセルの正方形に切り分け状態を示す平面図である。
【図１８】３２＋１種類の８×８の空間拡散テーブルのうち、最初の空間拡散テーブル１〜６を示す説明図である。
【図１９】３２＋１種類の８×８の空間拡散テーブルのうち、最後の空間拡散テーブル２７〜３３を示す説明図である。
【図２０】（ａ）は、マトリクスの１フレーム前のデータを示す説明図であり、（ｂ）は現在のフレームのデータを示す説明図である。
【図２１】現在のフレームデータにそれぞれの空間拡散テーブル１〜３３における数値の加減算を行ったデータを示すもののうち、最初の２つのテーブル１〜２を示す説明図である。
【図２２】1フレーム前のデータとステップ５で求めた各テーブルの数値から、応答時間ＲＴ（単位はｍｓ）を計算したデータを示すもののうち、最初の２つのテーブル１〜２を示す説明図である。
【符号の説明】
【０２１５】
１              階調輝度比変換ブロック（階調輝度比変換手段）
２              組み合わせ選択回路（選択手段）
２ａ            ＤＳＰ（判断手段）
３              フレームメモリ（組み合わせ記憶手段）
４              輝度比階調変換ブロック（輝度比階調変換手段）
５              液晶モジュール
１０              表示駆動部（表示駆動手段）
１１              絵素
１１ａ・１１ｂ    液晶素子
２０              組み合わせ選択回路
３０              フレームメモリ（階調データ記憶手段）
【図１】
2005107491.tif 000003
【図２】
2005107491.tif 000004
【図３】
2005107491.tif 000005
【図４】
2005107491.tif 000006
【図５】
2005107491.tif 000007
【図６】
2005107491.tif 000008
【図７】
2005107491.tif 000009
【図９】
2005107491.tif 000010
【図１０】
2005107491.tif 000011
【図１１】
2005107491.tif 000012
【図１２】
2005107491.tif 000013
【図１３】
2005107491.tif 000014
【図１４】
2005107491.tif 000015
【図１５】
2005107491.tif 000016
【図１６】
2005107491.tif 000017
【図１７】
2005107491.tif 000018
【図１８】
2005107491.tif 000019
【図１９】
2005107491.tif 000020
【図２０】
2005107491.tif 000021
【図２１】
2005107491.tif 000022
【図２２】
2005107491.tif 000023
【図８】
2005107491.tif 000024